(57)【要約】【課題】利用者のマッサージ部位の断面積の大小に拘わらず同じようなマッサージ感が得られると共に、マッサージ部位の断面積が大きい場合でも、エアバッグの膨張と共にマッサージ部位が配設溝から押し出されることを防止できるエアマッサージ装置を提供すること。【解決手段】足載せ台８にマッサージ部位配設用の脚配設溝１２が形成され、脚配設溝１２の側面にエアバッグ１３，１３が配設されている。しかも、脚配設溝１２の底部にはコイルスプリング１４を介してマッサージ部位支持部である支持板１５が設けられ、支持板１５は脚配設溝１２に配設される脚の重量に応じて上下変動位する。【選択図】　図４
2004057466.tif 000002
【特許請求の範囲】
【請求項１】
マッサージ装置本体にマッサージ部位配設用の配設溝が形成され、前記配設溝の側面にエアバッグを配設したエアマッサージ装置において、
前記配設溝の底部には弾性部材を介してマッサージ部位支持部が設けられ、前記マッサージ部位支持部は前記配設溝に配設されるマッサージ部位の重量に応じて上下動変位することを特徴とするエアマッサージ装置。
【請求項２】
請求項１に記載のエアマッサージ装置において、前記配設溝は足載せ台に設けたことを特徴とするエアマッサージ装置。
【発明の詳細な説明】
【０００１】
【発明の属する技術分野】
この発明は、マッサージ部位配設用の配設溝が設けられたエアマッサージ装置に関するものである。
【０００２】
【従来の技術】
従来のエアマッサージ装置としては、利用者の左右の脚の脹ら脛をそれぞれ配設させる一対の脚配設溝が足載せ台に設けられ、各脚配設溝の左右側面にエアバッグがそれぞれ配設されると共に、これらのエアバッグに対してエアを給排気するエア給排気装置が設けられたものが知られている。
【０００３】
このエアマッサージ装置では、足載せ台の左右の脚配設溝に利用者の左右の脚の脹ら脛を配設して、エアをエア給排気装置からエアバッグに供給した後、エアバッグからエアを排出させたりする動作を繰り返すことにより、脹ら脛を左右のエアバッグにより挟み付けて挟みもみする動作を繰り返して、脹ら脛をマッサージする様にしている。
【０００４】
【発明が解決しようとする課題】
しかしながら、例えば男性と女性では脚の太さ（脚の断面積）が異なるため、男性と女性では脚のマッサージ感が異なるものであった。また、特に脚の太い人が上述のマッサージを行った場合、利用者の脚の太さによってはエアバッグが膨張するに従って脚がエアバッグにより脚配設溝から押し出されてしまうこともあった。
【０００５】
そこで、この発明は、利用者のマッサージ部位の断面積の大小に拘わらず同じようなマッサージ感が得られると共に、マッサージ部位の断面積が大きい場合でも、エアバッグの膨張と共にマッサージ部位が配設溝から押し出されることのないエアマッサージ装置を提供することを目的とするものである。
【０００６】
【課題を解決するための手段】
この目的を達成するため、この発明は、マッサージ装置本体にマッサージ部位配設用の配設溝が形成され、前記配設溝の側面にエアバッグを配設したエアマッサージ装置において、前記配設溝の底部には弾性部材を介してマッサージ部位支持部が設けられ、前記マッサージ部位支持部は前記配設溝に配設されるマッサージ部位の重量に応じて上下動変位するエアマッサージ装置としたことを特徴とする。
【０００７】
尚、弾性部材としてはコイルスプリングやスポンジゴム等を用いることができる。また、コイルスプリングやスポンジゴム等の弾性部材で支持された板状のマッサージ部位支持部材の上面をマッサージ部位支持部としても良い。更に、スポンジゴム等の弾性部材の上面をマッサージ部位支持部とすることもできる。
【０００８】
【発明の実施の形態】
以下、この発明の実施の形態を図面に基づいて説明する。
【０００９】
図１は、この発明に係るエアマッサージ装置が設けられた椅子を示したものである。
【００１０】
図１において、椅子１は板状の脚部２，２と、脚部２，２の上端に両側部が取り付けられた座部３と、座部３の後縁部に設けられた背凭れ４と、後端部が背凭れ４の両側部に取り付けられた肘掛け５を有する。また、座部３の前縁部下方には脚マッサージ用のエアマッサージ装置６が配設されている。
【００１１】
このエアマッサージ装置６は、座部３の前縁部下方に配設されたオットマン等の足載せ台７を有する。この足載せ台（マッサージ装置本体）７は、図４に示した足載せ台本体８を有する。また、足載せ台７は図２に矢印９で示したように、ヒンジ１０で座部３の前縁部下面に上下回動可能に取り付けられている。
【００１２】
この足載せ台７は、脚部２に回動自在に支持させたエアシリンダ（昇降手段）１１により図２の上方に傾斜した使用位置と図１の収納位置との間で上下回動できるようになっている。また、足載せ台本体８には、図３に示したように、左右の脹ら脛の部分の脚部を配設する脚配設溝１２，１２が形成されている。この脚配設溝１２は、足載せ台７の使用位置では斜め上方に向けて開放している状態となる。
【００１３】
尚、背凭れ４がリクライニング機構によりリクライニングできる構成の場合には、リクライニングする背凭れ４に連動して足載せ台７が図２の様に傾斜するようにすることもできる。この場合、背凭れ４と足載せ台７をリンク機構により連動する構成とすることができる。この構成には周知の構成が採用できる。
【００１４】
また、エアマッサージ装置６は、図３，図４に示したように、脚配設溝１２の左右側面（互いに対向する内側面）に沿って配設されたエアバッグ１３，１３と、脚配設溝１２の底部に配設された弾性部材としてのコイルスプリング１４と、コイルスプリング１４を介して脚配設溝１２の底部１２ａに支持された支持板（脚支持部材）１５を有する。
【００１５】
このエアバッグ１３，１３は、図４に示したように、ナイロンシート１３ａの内側にポリウレタンシート１３ｂを積層して、ポリウレタンシート１３ｂの左右方向の中間部１３ｃを熱融着させることにより、中間部１３ｃの両端に形成したものである。
【００１６】
そして、中間部１３ｃの中央は固定手段であるボルト１６とナット１７により脚配設溝１２の底部１２ａに固定されている。しかも、この中間部１３ｃは、ある程度保形性と可撓性を有すると共に直線状になるような弾性力を有していて、この弾性力により脚配設溝１２の底部１２ａに沿うようになっている。これにより、エアバッグ１３，１３が脚配設溝１２の両側部に位置させられている。
【００１７】
この様なエアバッグ１３，１３，コイルスプリング１４及び支持板１５は足載せ台８と共に伸縮性のあるカバー１８によりカバーされている。この支持板１５は脚支持の為に断面が円弧状に形成されていて、利用者の脚を脚配設溝１２，１８ａ内の中央に安定支持させることができる。１８ａはカバー１８内に形成された脚配設溝である。尚、左右の脚配設溝１２，１２を図示する便宜上、図３，図５，図６ではカバー１８の図示を省略している。
【００１８】
また、エアマッサージ装置６は、図１，図２に示したようにエアバッグ１３，１３に対するエアの供給・排気を行うエア給排気装置（エア給排気手段）１９を有する。このエア給排気装置１９は座部３の下方に配設されている。
【００１９】
次に、この様な構成のエアマッサージ装置の作用を説明する。
【００２０】
この様な構成においてエアマッサージ装置６を使用する場合には、図１に示したように足載せ台８が座部３の下方の収納位置Ａに位置する状態で、利用者が座部３に着座し、左右の脚部の脹ら脛の部分を足載せ台８の脚配設溝１２，１２内に配設する。
【００２１】
この状態で、図２に示したように、エアシリンダ１１を伸長させて足載せ台８を斜め上方（使用位置）に傾斜させることにより、図５，図６に示したように、利用者２０の左右の脹ら脛の部分の脚部２０Ｌ，２０Ｒを斜めに傾斜させる。
【００２２】
この傾斜により脚部２０Ｌ，２０Ｒの重量が支持板１５を介してコイルスプリング１４に作用し、支持板１５が脚部２０Ｌ，２０Ｒの重量に応じてコイルスプリング１４を圧縮変形させて、脚部２０Ｌ，２０Ｒを左右の脚配設溝１２，１２内で下方に変位させる。
【００２３】
即ち、脚部２０Ｌ，２０Ｒの細い人（脚部の断面積の小さい人）の場合、図５に示したように、コイルスプリング１４の圧縮量が小さく、脚部２０Ｌ，２０Ｒの沈み量（底部１２ａ側への変位量）が小さい。しかし、脚部２０Ｌ，２０Ｒの太い人（脚部の断面積の大きい人）の場合、図６に示したように、コイルスプリング１４の圧縮量が図５の場合よりも大きく、脚部２０Ｌ，２０Ｒの沈み量も大きくなる。
【００２４】
この様な作用により、脚部２０Ｌ，２０Ｒの上部側は、常にエアバッグ１２，１２の先端部よりも僅かに脚配設溝１２の底部１２ａ側に位置するようになる。
【００２５】
従って、この状態で、エア給排気装置１９を作動させてエアバッグ１２，１２にエアを供給し、エアバッグ１２，１２を図５，図６の如く膨張させると、脚部２０Ｌ，２０Ｒがその太さの大小に拘わらずエアバッグ１２，１２により脚配設溝１２の底部１２ａ側に押さえ付けられる様になる。この結果、脚部２０Ｌ，２０Ｒの比較的太い人でも、エアバッグ１２，１２を膨張させたときに、エアバッグ１２，１２の膨張力により脚部２０Ｌ，２０Ｒが脚配設溝１２，１２から押し出されるようなことが生じない。これにより、脚部２０Ｌ，２０Ｒの太さの大小に拘わらず、エアバッグ１２，１２をエア給排気装置２０により膨張・収縮させて、脚部２０Ｌ，２０Ｒをエアバッグ１２，１２により良好にマッサージすることができる。
【００２６】
また、このマッサージに際しては、脚部２０Ｌ，２０Ｒが比較的太い人でも、エアバッグ１２，１２を膨張させたときに、エアバッグ１２，１２の膨張力により脚部２０Ｌ，２０Ｒが脚配設溝１２，１２から押し出されるようなことが生じないので、エアバッグ１２，１２による脚部２０Ｌ，２０Ｒのマッサージ感が脚部２０Ｌ，２０Ｒの比較的細い人と比べても略同じような結果が得られることになる。
（変形例１）
また、以上説明した実施例では、この発明の脚用のエアマッサージ装置６をエアバッグ等のマッサージ手段がない椅子１に適用した例を示したが、必ずしもこれに限定されるものではない。例えば、図７に示したようなマッサージ手段であるエアバッグ２１が複数設けられたエアマッサージ椅子２２にエアマッサージ装置６を適用しても良い。
（変形例２）
更に、図８に示したような座椅子式のエアマッサージ椅子２３に上述したエアマッサージ装置６の構成を適用することもできる。以下、エアマッサージ椅子２３について説明する。
【００２７】
このエアマッサージ椅子２３は座部（マッサージ装置本体）２４と背凭れ部（マッサージ装置本体）２５を有し、座部２４は脚載せ部２４ａと尻載せ部２４ｂを有する。この背凭れ部２５は、矢印Ａで示したように座部２４に対して折り曲げ部２６の部分から上方に回動させて起立させることができるようになっている。そして、図示を省略した支持フレーム（支持脚）が背凭れ部２５の背面に回動可能に取り付けられている。この支持フレームは、背凭れ部２５を所定角度まで起立させた状態で、背凭れ部２５を床面等に支持することができるようになっている。
【００２８】
また、脚載せ部２４ａには左右の脚を配設する脚配設溝２７，２７が形成され、各脚配設溝２７には利用者の脚の脹ら脛部をマッサージするマッサージ溝部２７ａと利用者の脚の大腿部をマッサージするマッサージ溝部２７ｂが設けられている。このマッサージ溝部２７ａ，２７ｂに上述したエアマッサージ装置６の構造が適用されている。さらに、背凭れ部２５の下部側の両側部には肘掛け２８，２８が設けられ、この肘掛け２８，２８間にマッサージ部位を配設する胴体配設溝２９が形成されている。この胴体配設溝２９にも上述したエアマッサージ装置６の構造が適用されている。尚、エアマッサージ装置６については、上述した実施例で詳細に説明しているので、本変形例ではその詳細な図示及び説明は省略する。
【００２９】
図８中、３０は背凭れ部２５の人体当接面側に設けられた肩マッサージ用のエアバッグ（施療手段）、３１は背凭れ部２５の人体当接面側に設けられた首マッサージ用のエアバッグ（施療手段）、３２はエアバッグ３１に設けられた施療子である。
【００３０】
この様な構成においては、利用者の左右の脚を脚配設溝２７，２７にそれぞれ配設することにより、脚の脹ら脛及び大腿部を上述した様にエアマッサージ装置６でマッサージすることができる。また、利用者の上半身を背凭れ部２５に当てた状態で、利用者の胴部を胴体配設溝２９に配設することにより、胴体の側部を胴体配設溝２９のエアマッサージ装置６でマッサージすることができる。これらの作用・効果も上述した実施例の作用・効果と同じである。
（その他）
以上説明した実施例では、弾性部材としてはコイルスプリング１４を用いた例を示したが、必ずしもこれに限定されるものではない。例えば、コイルスプリング１４に代えてスポンジゴム等を用いることもできるし、コイルスプリング１４とスポンジゴムを弾性部材として支持板１５の支持の為に併用することもできる。
【００３１】
また、コイルスプリング１４で支持された板状の支持板（マッサージ部位支持部材）１５の上面をマッサージ部位支持部としているが、必ずしもこれに限定されるものではない。例えば、スポンジゴム等の弾性部材をコイルスプリング１４に代えて使用する場合には、スポンジゴムの上面をマッサージ部位支持部とすることもできる。
【００３２】
更に、エアマッサージ装置６を椅子１の座部３から分離して床等に載置した状態で使用することもできる。
【００３３】
また、上述した実施例では、マッサージ部位が利用者の脚や胴部であったが、利用者の腕に対応する位置に上述したエアマッサージ装置６と同じ構成のエアマッサージ装置を設けて、利用者の腕をマッサージする様にすることもできる。
【００３４】
以上説明したように、この発明の実施の形態のエアマッサージ装置では、マッサージ装置本体（足載せ台８、座部２４，背凭れ部２５）にマッサージ部位配設用の配設溝（脚配設溝１２，２７、胴体配設溝２９）が形成され、前記配設溝（脚配設溝１２，２７、胴体配設溝２９）の側部にエアバッグ１３，１３が配設されている。しかも、前記配設溝（脚配設溝１２，２７、胴体配設溝２９）の底部には弾性部材（コイルスプリング１４）を介してマッサージ部位（脚、胴部、腕部）支持部が設けられ、前記マッサージ部位支持部は前記配設溝（脚配設溝１２，２７、胴体配設溝２９）に配設されるマッサージ部位の重量に応じて上下変動位するようになっている。
【００３５】
この構成によれば、利用者のマッサージ部位の断面積の大小に拘わらず同じようなマッサージ感が得られると共に、マッサージ部位の断面積が大きい場合でも、エアバッグの膨張と共にマッサージ部位が配設溝から押し出されることを防止できる。
【００３６】
また、この発明の実施の形態によれば、前記配設溝（脚配設溝１２）は足載せ台８に設けられている構成としている。この構成によれば、利用者の脚の断面積の大小、即ち脚の太さの大小に拘わらず同じようなマッサージ感が得られると共に、脚の断面積が大きい場合（脚が太い場合）でも、エアバッグの膨張と共に脚が配設溝（脚配設溝１２）から押し出されることを防止できる。
【００３７】
【発明の効果】
この発明は、以上説明したように構成したので、利用者のマッサージ部位の断面積の大小に拘わらず同じようなマッサージ感が得られると共に、マッサージ部位の断面積が大きい場合でも、エアバッグの膨張と共にマッサージ部位が配設溝から押し出されるのを防止できる。
【図面の簡単な説明】
【図１】この発明に係るエアマッサージ装置を備える椅子の概略斜視図である。
【図２】図１の椅子を利用している状態の側面図である。
【図３】図１のエアマッサージ装置の水平断面における概略部品配置図で、カバーの図示を省略してある。
【図４】図３のエアマッサージ装置の部分拡大断面図である。
【図５】図１〜図４のエアマッサージ装置の作用説明図である。
【図６】図１〜図４のエアマッサージ装置の作用説明図である。
【図７】この発明の変形例を示すマッサージ椅子の説明図である。
【図８】この発明の変形例を示すマッサージ椅子の説明図である。
【符号の説明】
７・・・足載せ台（マッサージ装置本体）
１２・・・脚配設溝（配設溝）
１４・・・コイルスプリング（弾性部材）
１５・・・支持板（マッサージ部位支持部）
２４・・・座部（マッサージ装置本体）
２５・・・背凭れ部（マッサージ装置本体）
２７・・・脚配設溝（配設溝）
２９・・・胴体配設溝（配設溝）
【図１】
2004057466.tif 000003
【図２】
2004057466.tif 000004
【図３】
2004057466.tif 000005
【図４】
2004057466.tif 000006
【図５】
2004057466.tif 000007
【図６】
2004057466.tif 000008
【図７】
2004057466.tif 000009
【図８】
2004057466.tif 000010